(57)【特許請求の範囲】
【請求項１】
縦横に並んで設けられた複数の物品収容空間の各々の開口上部に配置され複数色の発光が可能な点灯表示器と、前記物品収容空間の各々における開口両側部に配置され複数色の発光が可能な補助点灯表示器と、前記物品収容空間の各々に配置され制御側装置とデータの授受を行い前記点灯表示器および前記補助点灯表示器の表示状態の変化を制御するターミナルを備え、
前記物品収容空間の二つを横方向左右に仕切る垂直仕切部に配置された前記補助点灯表示器は、横方向左右に隣接する前記物品収容空間の各々に配置された前記ターミナルのいずれからも表示状態の変化の制御が可能とされ、
前記物品収容空間の二つを縦方向上下に仕切る水平仕切部に配置された前記点灯表示器は、縦方向上下に隣接する前記物品収容空間の各々に配置された前記ターミナルのいずれからも表示状態の変化の制御が可能とされている組立用物品管理システム。
【請求項２】
縦横に並んで設けられた複数の物品収容空間の各々における開口上部に配置され複数色の発光が可能な点灯表示器と、前記物品収容空間の各々における開口両側部および開口下部に配置され複数色の発光が可能な補助点灯表示器と、前記物品収容空間の各々に配置され制御側装置とデータの授受を行い前記点灯表示器および前記補助点灯表示器の表示状態の変化を制御するターミナルを備え、
前記物品収容空間の二つを横方向左右に仕切る垂直仕切部に配置された前記補助点灯表示器は、横方向左右に隣接する前記物品収容空間の各々に配置された前記ターミナルのいずれからも点灯状態と消灯状態の制御が可能とされ、
前記物品収容空間の二つを縦方向上下に仕切る水平仕切部に配置された前記点灯表示器は、縦方向下側の前記物品収容空間に配置された前記ターミナルからの表示状態の変化の制御が可能とされ、
前記物品収容空間の二つを縦方向上下に仕切る水平仕切部に配置された前記補助点灯表示器は、縦方向上側の前記物品収容空間に配置された前記ターミナルからの表示状態の変化の制御が可能とされている組立用物品管理システム。
【請求項３】
縦横に並んで設けられた複数の物品収容空間の各々の開口上部に配置され複数色の発光が可能な点灯表示器と、前記物品収容空間の各々における開口両側部に配置され複数色の発光が可能な補助点灯表示器と、前記物品収容空間の各々に配置され制御側装置とデータの授受を行い前記点灯表示器および前記補助点灯表示器の表示状態の変化を制御するターミナルを備え、
前記物品収容空間の二つを横方向左右に仕切る垂直仕切部に配置された前記補助点灯表示器は、横方向左右に隣接する前記物品収容空間の各々に配置された前記ターミナルのいずれからも表示状態の変化の制御が可能とされ、
前記制御側装置は、制御部と、前記制御部とデータの授受を行う親局を備え、前記ターミナルは、前記親局と共通の伝送線を介して伝送同期方式によりデータの授受を行う子局として機能し、自局が配置された前記物品収容空間に隣接する前記物品収容空間に配置された他局に対し前記親局から送信された制御データを前記伝送線に伝送される伝送信号から取り込み、自局が配置された前記物品収容空間に隣接する前記物品収容空間における前記点灯表示器および前記補助点灯表示器の点灯状態に応じて、自局が配置された前記物品収容空間における前記点灯表示器および前記補助点灯表示器の表示状態の変化を制御することを特徴とする組立用物品管理システム。
【請求項４】
前記ターミナルは前記物品収容空間の各々における開口上部に配置され、前記点灯表示器は前記ターミナルに内包され、前記補助点灯表示器は色データ信号線を介して前記ターミナルに接続され、前記物品収容空間の二つを縦方向上下に仕切る水平仕切部に配置された前記ターミナルに内包される前記点灯表示器は色データ信号線を介して縦方向上側に隣接する前記物品収容空間に配置された前記ターミナルに接続され、前記ターミナルにおける前記色データ信号線の入り切りにより前記点灯表示器および前記補助点灯表示器の表示状態の変化を制御する請求項１に記載の組立用物品管理システム。
【請求項５】
前記ターミナルは前記物品収容空間の各々における開口上部に配置され、前記点灯表示器は前記ターミナルに内包され、前記補助点灯表示器は色データ信号線を介して前記ターミナルに接続され、前記ターミナルにおける前記色データ信号線の入り切りにより前記補助点灯表示器の表示状態の変化を制御する請求項２に記載の組立用物品管理システム。
【請求項６】
前記物品収容空間の二つを横方向左右に仕切る垂直仕切部に配置された前記補助点灯表示器は、第一補助表示部と第二補助表示部を備え、前記垂直仕切部に仕切られた前記物品収容空間の各々に配置された前記ターミナルの一方が前記第一補助表示部の表示状態の変化を制御し、他方が前記第二補助表示部の表示状態の変化を制御する請求項１〜５のいずれかに記載の組立用物品管理システム。
【発明の詳細な説明】
【技術分野】
【０００１】
本発明は、保管棚等の物品収容空間に保管されている物品の中から製品の組立てに必要な部品の受け取り指示を行い、また、在庫が無くなった物品収容空間に必要な補給の指示を行う組立用物品管理システムに関する。
【背景技術】
【０００２】
組立用物品管理システムの代表的な例として、組立て生産工程、特にセル生産方式による工程等において広く使用されているピッキングシステムがある。ピッキングシステムとは、物品の保管棚に保管している物品の中から製品の組立てに必要な部品を受け取る作業や、逆に保管棚へ補給する作業の指示を制御するものである。【０００３】
より具体的には、対象物品が収容されていることを示す表示部（ランプ、表示器など）と、その物品が搬出されたことを示す情報の入力部（レバースイッチなど）を備えたターミナルが、複数の保管棚の各々に配置され、これらターミナルが制御装置を介してホストコンピュータに接続された構成となっている。そして、ホストコンピュータから制御装置に部品の引取り指示が送信され、制御装置から引取り指示の出されたターミナルの表示部により作業の指示がなされる。【０００４】
なお、ターミナルの入力部は、指示された部品の引取り或いは補給を完了した作業者により、作業完了を示す情報の入力のために操作され、その情報は制御装置を介しホストコンピュータに集約される。そこで、その情報に基づき、作業進捗状況の把握、誤作業の防止、収容空間への物品の補給、更には部品の在庫管理や、補給物品の発注などを行う様々な手法が提案されている。【０００５】
例えば、ターミナルの入力部から入力された情報に基づき誤作業を防止し、作業精度を向上させる手法として、特許５０８５８０６号公報には、一回の指示で同時に複数種類の部品の受取り指示を行う一斉受取指示において、作業が中断した場合であっても、物品の受取忘れや重複した受け取りを防止できる物品受取管理システムが提案されている。
【先行技術文献】
【特許文献】
【０００６】
【特許文献１】特許５０８５８０６号公報
【発明の開示】
【発明が解決しようとする課題】
【０００７】
しかしながら、ランプや表示器などの表示部を使用した従来の制御手法では、誤作業を防止することが難しい場合もあった。例えば、複数の物品収容空間が縦横に並んで設けられ、物品収容空間の二つを縦方向上下に仕切る水平仕切部にターミナルが配置された場合、ターミナルの表示部が隣接する上下の物品収容空間のどちらに対する指示であるかが不明確となり、作業の誤りを招くおそれがあった。【０００８】
そこで、本発明は、ターミナルの指示に従って行われる作業の誤りを低減できる組立用物品管理システムを提供することを目的とする。
【課題を解決するための手段】
【０００９】
本発明に係る第一の組立用物品管理システムは、縦横に並んで設けられた複数の物品収容空間の各々の開口上部に配置され複数色の発光が可能な点灯表示手器と、前記物品収容空間の各々における開口両側部に配置され複数色の発光が可能な補助点灯表示器と、前記物品収容空間の各々に配置され制御側装置とデータの授受を行い前記点灯表示器および前記補助点灯表示器の表示状態の変化を制御するターミナルを備える。【００１０】
前記物品収容空間の二つを横方向左右に仕切る垂直仕切部に配置された前記補助点灯表示器は、横方向左右に隣接する前記物品収容空間の各々に配置された前記ターミナルのいずれからも表示状態の変化の制御が可能とされている。【００１１】
前記物品収容空間の二つを縦方向上下に仕切る水平仕切部に配置された前記点灯表示器は、縦方向上下に隣接する前記物品収容空間の各々に配置された前記ターミナルのいずれからも表示状態の変化の制御が可能とされている。【００１２】
本発明に係る第二の組立用物品管理システムは、縦横に並んで設けられた複数の物品収容空間の各々における開口上部に配置され複数色の発光が可能な点灯表示器と、前記物品収容空間の各々における開口両側部および開口下部に配置され複数色の発光が可能な補助点灯表示器と、前記物品収容空間の各々に配置され制御側装置とデータの授受を行い前記点灯表示器および前記補助点灯表示器の表示状態の変化を制御するターミナルを備える。【００１３】
前記物品収容空間の二つを横方向左右に仕切る垂直仕切部に配置された前記補助点灯表示器は、横方向左右に隣接する前記物品収容空間の各々に配置された前記ターミナルのいずれからも表示状態の変化の制御が可能とされている。【００１４】
前記物品収容空間の二つを縦方向上下に仕切る水平仕切部に配置された前記点灯表示器は、縦方向下側の前記物品収容空間に配置された前記ターミナルからの表示状態の変化の制御が可能とされている。【００１５】
前記物品収容空間の二つを縦方向上下に仕切る水平仕切部に配置された前記補助点灯表示器は、縦方向上側の前記物品収容空間に配置された前記ターミナルからの表示状態の変化の制御が可能とされている。【００１６】
本発明に係る第三の組立用物品管理システムは、縦横に並んで設けられた複数の物品収容空間の各々の開口上部に配置され複数色の発光が可能な点灯表示手器と、前記物品収容空間の各々における開口両側部に配置され複数色の発光が可能な補助点灯表示器と、前記物品収容空間の各々に配置され制御側装置とデータの授受を行い前記点灯表示器および前記補助点灯表示器の表示状態の変化を制御するターミナルを備える。【００１７】
前記物品収容空間の二つを横方向左右に仕切る垂直仕切部に配置された前記補助点灯表示器は、横方向左右に隣接する前記物品収容空間の各々に配置された前記ターミナルのいずれからも表示状態の変化の制御が可能とされている。【００１８】
前記制御側装置は、制御部と、前記制御部とデータの授受を行う親局を備え、前記ターミナルは、前記親局と共通の伝送線を介して伝送同期方式によりデータの授受を行う子局として機能し、自局が配置された前記物品収容空間に隣接する前記物品収容空間に配置された他局に対し前記親局から送信された制御データを前記伝送線に伝送される伝送信号から取り込み、自局が配置された前記物品収容空間に隣接する前記物品収容空間における前記点灯表示器および前記補助点灯表示器の点灯状態に応じて、自局が配置された前記物品収容空間における前記点灯表示器および前記補助点灯表示器の表示状態の変化を制御する。【００１９】
なお、本発明において、点灯表示器および補助点灯表示器の表示状態には、任意の発光色が点灯或いは点滅した状態、そして、発光の無い状態（消灯状態）が含まれる。ただし、表示状態は、点灯、点滅あるいは消灯に制限されるものではなく、点灯を利用することにより可能となる表示（例えばフェードイン・フェードアウト、点灯色の変化）を適宜採用することができる。【００２０】
本発明に係る第一の組立用物品管理システムにおいて、前記ターミナルは前記物品収容空間の各々における開口上部に配置され、前記点灯表示器は前記ターミナルに内包され、前記補助点灯表示器は色データ信号線を介して前記ターミナルに接続され、前記物品収容空間の二つを縦方向上下に仕切る水平仕切部に配置された前記ターミナルに内包される前記点灯表示器は色データ信号線を介して縦方向上側に隣接する前記物品収容空間に配置された前記ターミナルに接続され、前記ターミナルにおける前記色データ信号線の入り切りにより前記点灯表示器および前記補助点灯表示器の表示状態の変化を制御するものであってもよい。【００２１】
本発明に係る第二の組立用物品管理システムにおいて、前記ターミナルは前記物品収容空間の各々における開口上部に配置され、前記点灯表示器は前記ターミナルに内包され、前記補助点灯表示器は色データ信号線を介して前記ターミナルに接続され、前記ターミナルにおける前記色データ信号線の入り切りにより前記補助点灯表示器の表示状態の変化を制御するものであってもよい。【００２２】
本発明に係る組立用物品管理システムにおいて、前記物品収容空間の二つを横方向左右に仕切る垂直仕切部に配置された前記補助点灯表示器は、第一補助表示部と第二補助表示部を備え、前記垂直仕切部に仕切られた前記物品収容空間の各々に配置された前記ターミナルの一方が前記第一補助表示部の表示状態の変化を制御し、他方が前記第二補助表示部の表示状態の変化を制御するものであってもよい。
【発明の効果】
【００２３】
本発明に係る組立用物品管理システムによれば、点灯表示器と補助点灯表示器を使用し、物品収容空間の開口を囲った表示を行うことができる。しかも、複数の色を使用することにより、隣接する物品収容空間を、異なる配色で囲うことができる。そのため、作業対象となる物品収容空間を明確に示すことが可能となり、隣接する物品収容空間に対する誤った作業がなされることを防止できる。
【図面の簡単な説明】
【００２４】
【図１】本発明に係る第一の組立用物品管理システムの実施形態のシステム構成図である。
【図２】親局の機能ブロック図である。
【図３】ターミナルの機能ブロック図である。
【図４】システムにおける伝送手順の模式図である。
【図５】伝送信号のタイムチャート図である。
【図６】本発明に係る第二の組立用物品管理システムの実施形態のシステム構成図である。
【図７】本発明に係る第二の組立用物品管理システムの実施形態におけるターミナルの機能ブロック図である。
【図８】本発明に係る第三の組立用物品管理システムの実施形態におけるターミナルの機能ブロック図である。
【発明を実施するための形態】
【００２５】
図１〜５を参照しながら、本発明に係る第一の組立用物品管理システムの実施形態を説明する。
図１に示す組立用物品管理システムは、制御部１と親局２を有する制御側装置により、保管棚の物品収容空間８に保管されている物品の中から製品の組立てに必要な部品の受け取り指示を行い、また、在庫が無くなった物品収容空間８に必要な補給の指示を行うものである。
【００２６】
この実施形態における保管棚の柱部材にはパイプが採用され、柱部材の中空部に共通データ信号線ＤＰ、ＤＮ（以下、伝送線とする）が挿通されている。伝送線は柱部材の終端の開口を通してパイプの外部に延伸され、親局２に接続されている。なお、伝送線は、使用状況などに応じ、柱部材の外面に沿って配線してもよい。
【００２７】
複数の物品収容空間８の各々の開口上部には、作業者に対する表示を行う点灯表示器として機能する点灯表示部５１を内包したターミナル４が配置されている。そして、ターミナル４の各々が、伝送線に並列に接続されている。なお、図１において、一部のターミナル４には、物品収容空間８における位置関係を明確にする便宜上、アルファベットで区別した符号４ａ、４ｂ、４ｃ、４ｄおよび４ｅが用いられている。
【００２８】
複数の物品収容空間８の各々の開口側部には、補助点灯器６が配置されている。そして、補助点灯器６の各々が、横方向左右に隣接する物品収容空間８の各々に配置されたターミナル４の双方に接続されている。なお、図１において、一部の補助点灯器６には、物品収容空間８における位置関係を明確にする便宜上、アルファベットで区別した符号６ａおよび６ｂが用いられている。
【００２９】
制御部１は、演算処理機能を持つ管理判断手段１１と入出力ユニット１２を備える。管理判断手段１１は、入出力ユニット１２を介して親局２からデータを受け取り、内部に記憶されたプログラムに基づいて必要な演算処理を行う。
【００３０】
＜親局構成＞
親局２は、図２に示すように、出力データ部２１、管理データ部２２、タイミング発生部２３、親局出力部２４、親局入力部２５、入力データ部２６を備える。そして、伝送線に接続され、一連のパルス状信号である制御信号を伝送線に重畳するとともに、ターミナル４から伝送線に重畳された監視信号から抽出された監視データを制御部１の入出力ユニット１２へ送出する。
【００３１】
出力データ部２１は、制御部１から受けたデータをシリアルデータとして親局出力部２４へ引き渡す。
【００３２】
管理データ部２２は、子局情報テーブルを記憶する不揮発性機能を持つ記憶手段２９を備える。そして、制御部１から受けたデータと子局情報テーブルに基づき、後述の管理制御データ領域において子局への指示に必要となるデータをシリアルデータとして親局出力部２４へ引き渡す。
【００３３】
子局情報テーブルは、監視データとして得られない情報を伝送線に出力させるターミナル４を指定するための管理制御アドレスデータを含んでいる。なお、この実施形態では、管理制御アドレスデータとしてターミナル４のアドレスデータである先頭アドレス番号に、種別の識別子を加えたデータが用いられている。
【００３４】
タイミング発生部２３は、発振回路（ＯＳＣ）３１とタイミング発生手段３２からなり、発振回路（ＯＳＣ）３１を基にタイミング発生手段３２が、このシステムのタイミングクロックを生成し親局出力部２４、親局入力部２５に引き渡す。
【００３５】
親局出力部２４は、制御データ発生手段３３とラインドライバ３４からなる。制御データ発生手段３３が、出力データ部２１から受けたデータと、タイミング発生部２３から受けたタイミングクロックに基づき、ラインドライバ３４を介して伝送線に一連のパルス状信号として伝送信号を重畳する。
【００３６】
伝送手順は、図４に示すように、伝送信号のスタート信号ＳＴと次のスタート信号ＳＴの間の、制御・監視データ領域、そして管理データ領域と続く１フレームサイクルであり、複数のパルス信号が連なって構成される。スタート信号ＳＴは、パルス信号の時間幅より長く、伝送信号から伝送クロック信号を生成するための閾値Ｖｓｔ（この実施例では１８Ｖ）より高い電位レベルとなっている。
【００３７】
伝送信号を構成するパルス信号は、図５に示すように、閾値Ｖｓｔより高い電位レベルエリア（伝送クロック信号に相当し、この実施形態では＋２４Ｖ）と閾値Ｖｓｔよりも低い電位レベルエリアで構成される。なお、この実施形態では、閾値Ｖｓｔより高い電位レベルエリアが１周期の後半と、閾値Ｖｓｔよりも低い電位レベルエリアが１周期の前半とされているが、その順番に制限はなく、これらの順番を逆にしてもよい。
【００３８】
閾値Ｖｓｔより低い電位レベルエリアのパルス幅が、制御信号のデータを表すものとなっている。そして、閾値Ｖｓｔより低い電位レベルエリアのパルス幅が制御データとして制御データ領域を構成し、その制御データ領域は、図４における制御・監視データ領域の上段に相当するものとなっている。
【００３９】
この実施形態では、伝送信号を構成するパルス信号の１周期をｔ０とした時、伝送信号を構成するパルス信号のパルス幅（３／４）ｔ０が論理データ“０”を表し、パルス幅（１／４）ｔ０が論理データ“１”を表している。ただし、制御部１から入力される制御データの値に応じたものであれば、その長さに制限はなく適宜に決めればよい。
【００４０】
伝送データ信号において、閾値Ｖｓｔよりも低い電位レベルエリアに重畳される電流が所定値より大きいか小さいかで、監視信号のデータを表すものとなっている。そして、閾値Ｖｓｔよりも低い電位レベルエリアに重畳される電流値が監視データとして監視データ領域を構成し、その監視データ領域は、図４における制御・監視データ領域の下段に相当するものとなっている。
【００４１】
この実施形態では、１０ｍＡより小さい電流信号が論理データ“０”を表し、１０ｍＡより大きい電流信号が論理データ“１”を表している。
【００４２】
制御・監視データ領域の後には、図４に示すように、管理データ領域が設けられている。なお、図４において、上段は親局２からデータが出力される領域（以下、管理制御データ領域とする）を、下段は親局２へデータが入力される領域（以下、管理監視データ領域とする）を示すものとなっている。
【００４３】
管理制御データ領域には、ターミナル４に対して情報を要求する等の指示をなす第一管理制御データＩＳＴｏ、および、子局アドレスを指定する第二管理制御データＩＤＸｏが、親局２から重畳される。また、管理監視データ領域には、第二管理制御データＩＤＸｏで指定されたターミナル４から第一管理制御データＩＳＴｏに対応する第一管理監視データＳＴｉ及び第二管理監視データＩＤＸｉが重畳される。
【００４４】
親局入力部２５は監視信号検出手段３５と監視データ抽出手段３６で構成される。監視信号検出手段３５は、ターミナル４から伝送線に重畳された監視信号を検出する。
【００４５】
監視信号のデータは、既述のように、閾値Ｖｓｔより低電位レベルに重畳される電流が１０ｍＡより大きいか小さいかで表されており、スタート信号ＳＴが送信された後、ターミナル４の各々から監視信号を受け取るものとなっている。そして、監視信号検出手段３５で検出された監視信号は、監視データ抽出手段３６に引き渡される。
【００４６】
監視データ抽出手段３６は、タイミング発生手段３２からのタイミングに同期して、監視データおよび管理監視データを抽出し、直列の入力データとして入力データ部２６に出力する。
【００４７】
入力データ部２６は、監視データ抽出手段３６から受け取った直列の入力データを並列（パラレル）データに変換し、監視データおよび管理監視データとして制御部１の入出力ユニット１２へ送出する。
【００４８】
＜ターミナルの構成＞
続いて、ターミナル４の構成について説明する。なお、以下の説明では、物品収容空間８における夫々の位置関係を明確にする便宜上、図１において中央の物品収容空間８に配置されているターミナル４ｂが例として挙げられているが、その他のターミナル４も同じ構成となっている。
【００４９】
ターミナル４ｂは、物品収容空間８の二つを縦方向上下に仕切る水平仕切部８２に配置され、縦方向上下に隣接する物品収容空間８に配置されたターミナル４ａ、４ｃに色データ信号線７を介して接続されている。また、物品収容空間８の開口両側部において物品収容空間８の二つを横方向左右に仕切る垂直仕切部８１に配置された補助点灯表示器６ａ、６ｂに色データ信号線７を介して接続されている。
【００５０】
また、ターミナル４ｂは、図３に示すように、入出力部４０、作業者が操作し情報を入力するための入力部５２、入出力部４０と伝送線の間に配置される子局ラインレシーバ５４と子局ラインドライバ５５、および、伝送信号から内部回路電源を生成する電源５６を備える。
【００５１】
入出力部４０は、伝送受信手段４１、管理制御データ抽出手段４２、アドレス抽出手段４３、アドレス設定手段４４、管理監視データ送信手段４５、制御データ抽出手段４６、出力手段４７、入力手段４８および監視データ送信手段４９を有している。
【００５２】
この実施形態のターミナル４ｂは、内部回路としてマイクロコンピュータ・コントロール・ユニットであるＭＣＵを備えており、このＭＣＵが子局の入出力部４０として機能するものとなっている。そして、処理において必要となる演算や記憶は、このＭＣＵの備えるＣＰＵ、ＲＡＭおよびＲＯＭを使用して実行されるが、入出力部４０を構成する上記各手段のそれぞれの処理におけるＣＰＵ、ＲＡＭおよびＲＯＭとの関係は、説明の便宜上、図示を省略するものとする。
【００５３】
伝送受信手段４１は、伝送線に伝送される伝送信号を、子局ラインレシーバ５４を介して受け、これを管理制御データ抽出手段４２、アドレス抽出手段４３、管理監視データ送信手段４５および制御データ抽出手段４６に引き渡す。
【００５４】
管理制御データ抽出手段４２は、アドレス設定手段４４で設定された自局アドレスに自局種別の識別子を付加した管理制御アドレスと一致するアドレスに対する管理制御信号のデータ（管理制御データ）を、伝送信号を構成するパルス信号の管理データ領域から抽出する。抽出された管理制御データは、そのデータに基づいた処理を実行する処理手段に引き渡される。ただし、この実施形態において、管理制御データは、点灯表示部５１および補助点灯表示器６ａ、６ｂの表示状態の変化の制御には利用されないため、管理制御データの出力先の図示および説明は省略する。
【００５５】
アドレス抽出手段４３では、スタート信号ＳＴが終了となるタイミング（この実施形態では立ち下がり）を起点として、伝送信号を構成するパルス信号のカウントが行われる。なお、このカウント値がアドレス設定手段４４で設定された自局アドレスデータと一致するタイミングは、伝送信号の自局に割り当てられたデータ領域が開始するタイミング（以下、「自局領域開始タイミング」とする）となる。
【００５６】
自局領域開始タイミングを得たアドレス抽出手段４３は、自局領域の期間、制御データを抽出するタイミング信号を制御データ抽出手段４６に引き渡すとともに、監視データ送信手段４９を有効にする。
【００５７】
管理監視データ送信手段４５は、スタート信号ＳＴが終了となるタイミング（この実施形態では立ち下がり）を起点として、伝送信号を構成するパルス信号をカウントし、管理データ領域のタイミングを得る。そして、自局アドレスが指定されている場合、子局ラインドライバ５５を介して管理監視信号として伝送線に出力する。
【００５８】
制御データ抽出手段４６は、アドレス抽出手段４３から引き渡されたタイミング信号と伝送受信手段４１から引き渡された伝送信号から、自局アドレス設定手段４４に設定された自局アドレスに送信された制御データ値を抽出し、これを出力手段４７に引き渡す。
【００５９】
出力手段４７は、点灯表示部５１を、制御データ抽出手段４６から引き渡された制御データ値に応じた表示状態とする。また、出力手段４７から点灯表示部５１への出力に対応して、色データ信号線７が入り切りされ、補助点灯表示器６ａ、６ｂ、および、ターミナル４ｃの点灯表示部５１の表示状態は、ターミナル４ｂの点灯表示部５１に連動したものとなる。
【００６０】
なお、点灯表示部５１に対し、縦方向上側の物品収容空間８に配置されたターミナル４ａからの出力があるときは、点灯表示部５１の設定に応じた表示状態となる。例えば、ターミナル４ａ、４ｂのどちらか一方からの表示指示出力があった場合と、双方からの表示指示出力があった場合とで、表示色を変更してもよく、或いは、最新の表示指示出力に基づいた表示状態とした後に、先の表示指示出力に基づいた表示状態に戻すこととしてもよい。補助点灯表示器６ａ、６ｂについても同様である。
【００６１】
入力手段４８は、入力部５２からの入力に基づくデータを監視データ送信手段４９に引き渡す。
【００６２】
監視データ送信手段４９は、アドレス抽出手段４３により有効とされた場合に、入力手段４８から引き渡されたデータを、子局ラインドライバ５５を介して伝送線に監視信号として出力する。
【００６３】
図１において、最上段に位置する物品収容空間８に配置されたターミナル４ａの点灯表示部５１には、縦方向上側に物品収容空間８が存在しないため、他のターミナル４が接続されていない。しかしながら、ターミナル４ａの点灯表示部５１にも、他のターミナル４の接続は可能とされている。すなわち、この実施形態では、最上段に位置する物品収容空間８と、それより下側に位置する物品収容空間８には、同じ構成のターミナル４が配置されている。
【００６４】
次に、図６および図７を参照しながら、本発明に係る第二の組立用物品管理システムの実施形態を説明する。なお、図６において、一部の補助点灯器６には、物品収容空間８における位置関係を明確にする便宜上、アルファベットで区別した符号６ａ、６ｂおよび６ｃが用いられている。また、図６および図７において、図１〜図５に示す実施形態と実質的に同じ部位には同符号を付し、その説明を省略または簡略化する。
【００６５】
この実施形態では、ターミナル４ｂが配置された物品収容空間８の下側に位置する水平仕切部８２に、補助点灯表示器６ｃが配置される。補助点灯表示器６ｃは、垂直仕切部８１、８１に配置された補助点灯表示器６ａ、６ｂと同様に、色データ信号線７を介してターミナル４ｂに接続されている。そして、ターミナル４ｂの出力手段４７から点灯表示部５１への出力に対応して、色データ信号線７が入り切りされ、補助点灯表示器６ａ、６ｂ、６ｃの表示状態は、ターミナル４ｂの点灯表示部５１に連動するものとなっている。
【００６６】
また、ターミナル４ｂが配置されている水平仕切部８２にも補助点灯表示器６ｃが配置され、縦方向上側に配置されたターミナル４ａに色データ信号線７を介して接続されている。そして、ターミナル４ｂの点灯表示部５１は、ターミナル４ｂの出力手段４７のみに表示状態の変化が制御されるものとなっている。
【００６７】
なお、この実施形態において、水平仕切部８２に配置された補助点灯表示器６はターミナル４と一体になっているが、ターミナル４と別体としてもよい。
【００６８】
図７を参照しながら、本発明に係る第三の組立用物品管理システムの実施形態を説明する。なお、図７において、図１〜図５に示す実施形態と実質的に同じ部位には同符号を付し、その説明を省略または簡略化する。
【００６９】
この実施形態において、ターミナル４は、自局が配置された物品収容空間８に隣接する物品収容空間８に配置された他局のアドレスを記憶するための他局アドレス記憶手段５０を備える。そして、制御データ抽出手段４６は、伝送信号により自局アドレスに送信された制御データ値と、他局アドレス記憶手段５０に記憶されたアドレスに送信された制御データ値を抽出し、これを出力手段４７に引き渡す。
【００７０】
出力手段４７は、制御データ抽出手段４６から引き渡されたデータに基づき、自局が配置された物品収容空間８に隣接する物品収容空間８における点灯表示器５１および補助点灯表示器６の点灯状態に応じて、自局の点灯表示部５１と自局が配置された物品収容空間８における補助点灯表示器６に対し、表示状態を指示する信号を出力する。
【００７１】
この実施形態では、物品収容空間８の二つを縦方向上下に仕切る水平仕切部８２にはターミナル４のみが配置されているが、水平仕切部８２に補助点灯表示器６を配置してもよい。その場合、水平仕切部８２に配置される補助点灯表示器６も、垂直仕切部８１に配置される補助点灯表示器６と同様に、出力手段４７からの出力信号により表示状態の変化の制御をすればよい。
【００７２】
上記のいずれの実施形態においても、補助点灯表示器６が有する一つの表示部が、横方向に隣接する二つの物品収容空間８に共用される形となっているが、補助点灯表示器６に、二つの表示部（第一補助表示部と第二補助表示部）を備えてもよい。この場合、横方向に隣接する二つの物品収容空間８に配置したターミナル４の一方が第一補助表示部の点灯状態と消灯状態を制御し、他方が第二補助表示部の点灯状態と消灯状態を制御するものとすれば、横方向に隣接する二つの物品収容空間８の夫々の開口を異なる色の発光で囲うことができ、より明確な指示を実現し、作業の誤りを更に低減することができる。
【符号の説明】
【００７３】
１    制御部
２    親局
４、４ａ、４ｂ、４ｃ  ターミナル
６、６ａ、６ｂ  補助点灯表示器
７    接続線
８    物品収容空間
１１  管理判断手段
１２  入出力ユニット
２１  出力データ部
２２  管理データ部
２３  タイミング発生部
２４  親局出力部
２５  親局入力部
２６  入力データ部
２９  記憶手段
３１  発振回路（ＯＳＣ）
３２  タイミング発生手段
３３  制御データ発生手段
３４  ラインドライバ
３５  監視信号検出手段
３６  監視データ抽出手段
４０  入出力部
４１  伝送受信手段
４２  管理制御データ抽出手段
４３  アドレス抽出手段
４４  アドレス設定手段
４５  管理監視データ送信手段
４６  制御データ抽出手段
４７  出力手段
４８  入力手段
４９  監視データ送信手段
５０  他局アドレス記憶手段
５１  点灯表示部
５２  入力部
５３  補助表示電源ＳＷ
５４  子局ラインレシーバ
５５  子局ラインドライバ
５６  電源
８１  垂直仕切部
８２  水平仕切部
【図１】
0006824445.tif 000002
【図２】
0006824445.tif 000003
【図３】
0006824445.tif 000004
【図４】
0006824445.tif 000005
【図５】
0006824445.tif 000006
【図６】
0006824445.tif 000007
【図７】
0006824445.tif 000008
【図８】
0006824445.tif 000009